(57)【要約】【課題】  蛍光撮影の感度を低下させることなく、撮像手段を共用して明視野撮影及び蛍光撮影が可能な顕微鏡装置を提供する。【解決手段】  可視光を生成する明視野撮影用光源２と、励起光を生成する蛍光撮影用光源１１と、撮影対象物からの光を電気信号に変換し、画像データを生成するイメージセンサー８と、可視光をイメージセンサー８に伝搬する伝搬経路であって、励起光をイメージセンサー８に伝搬する伝搬経路を共通伝搬路Ｂ２とし、この共通伝搬路Ｂ２上における撮影対象物よりも下手に挿抜自在に配置され、蛍光撮影用光源１１からの光の光学特性を調整する励起フィルター２１、及び、特定波長よりも短い波長の光を吸収する吸収フィルター２３を有するフィルターユニット１４と、共通伝搬路Ｂ２に含まれない可視光の伝搬経路上に配置され、可視光よりも長い波長の光を吸収する赤外線カットフィルター４とを備えて構成される。【選択図】  図２
2006309006.tif 000002
【特許請求の範囲】
【請求項１】
撮像手段を共用して明視野撮影及び蛍光撮影が可能な顕微鏡装置において、
可視光を生成する明視野撮影用光源と、
励起光を生成する蛍光撮影用光源と、
撮影対象物からの光を電気信号に変換し、画像データを生成する撮像手段と、
上記撮影対象物及び上記撮像手段間に挿抜自在に配置され、上記蛍光撮影用光源からの光の光学特性を調整する励起フィルター、及び、特定波長よりも短い波長の光を吸収する吸収フィルターを有するフィルターユニットと、
上記明視野撮影用光源及び上記撮影対象物間に配置され、上記可視光よりも長い波長の光を吸収する赤外線カットフィルターとを備えたことを特徴とする顕微鏡装置。
【請求項２】
明視野撮影及び蛍光撮影について、上記撮影対象物及び上記撮像手段間に光の共通経路を有し、
上記フィルターユニットは、蛍光撮影の際に上記共通経路上に配置され、明視野撮影の際には上記共通経路外に配置されることを特徴とする請求項１に記載の顕微鏡装置。
【請求項３】
上記共通経路上に配置され、２つの撮影ポジションの切り替えが可能な可動ステージを備え、
上記フィルターユニットが上記可動ステージにおける一方の撮影ポジションに配置され、蛍光撮影時には当該撮影ポジションが選択されるとともに、明視野撮影時には上記可動ステージにおける他方の撮影ポジションが選択されることを特徴とする請求項２に記載の顕微鏡装置。
【請求項４】
撮像手段を共用して明視野撮影及び蛍光撮影が可能な顕微鏡装置において、
可視光を生成する明視野撮影用光源と、
励起光を生成する蛍光撮影用光源と、
撮影対象物からの光を電気信号に変換し、画像データを生成する撮像手段と、
上記撮影対象物及び上記撮像手段間に配置され、２つの撮影ポジションの切り替えが可能な可動ステージと、
上記可動ステージにおける一方の撮影ポジションに配置され、上記可視光よりも長い波長の光を吸収する赤外線カットフィルターと、
上記可動ステージにおける他方の撮影ポジションに配置され、上記蛍光撮影用光源からの光の光学特性を調整する励起フィルター、及び、特定波長よりも短い波長の光を吸収する吸収フィルターを有するフィルターユニットとを備えたことを特徴とする顕微鏡装置。
【請求項５】
上記明視野撮影用光源は、上記可視光として白色光を生成し、
上記撮像手段は、カラーフィルターが設けられたイメージセンサーからなることを特徴とする請求項１又は４に記載の顕微鏡装置。
【発明の詳細な説明】
【技術分野】
【０００１】
本発明は、顕微鏡装置に係り、さらに詳しくは、イメージセンサーなどの撮像手段を共用して明視野撮影及び蛍光撮影が可能な顕微鏡装置の改良に関する。
【背景技術】
【０００２】
近年、生体観察や製品検査に用いる蛍光顕微鏡が数多く製品化されている。この蛍光顕微鏡は、観察対象物に励起光を照射し、その励起光によって観察対象物が発する蛍光を観察することを目的としている。最近では、目視による観察だけでなく、ＣＣＤ（Charge Coupled Device：電荷結合素子）などの撮像素子からなるイメージセンサーを搭載し、観察対象物からの光を電気信号に変換して画像データを生成することもできる顕微鏡装置が主流となりつつある。
【０００３】
この種の顕微鏡装置には、可視光による明視野撮影と、励起光による蛍光撮影を切り替え可能なものが多い。明視野撮影では、目視によるイメージと同様の色合いやグラデーションで画像データを生成することが望まれる。一方、蛍光撮影では、色合いよりも撮影対象物（観察対象物）における蛍光箇所の位置や形状を正確に判別することができる画像データを生成することが望まれる。通常、画像データを生成するイメージセンサーには、目の感度に合わせた光学特性となるように、可視光よりも長い波長の光を吸収する赤外線カットフィルターが設けられている。このため、明視野撮影と蛍光撮影とでイメージセンサーを共用しようとすると、蛍光撮影時には、撮影対象物が発した蛍光から可視光よりも長い波長の光が上記赤外線カットフィルターによって除去されるので、蛍光撮影の感度が低下してしまうという問題があった。特に、近赤外線を含む７００ｎｍ付近の蛍光を発する色素が蛍光撮影に用いられた場合には、撮影画像の輝度が著しく低下するので、蛍光箇所の特定が困難となる。
【発明の開示】
【発明が解決しようとする課題】
【０００４】
そこで、上述した問題を解決する方法として、赤外線カットフィルターをイメージセンサーから取り除く方法や、蛍光撮影の際に露光時間を長くする方法が考えられる。赤外線カットフィルターをイメージセンサーから取り除けば、可視光よりも長い波長の光も露光されるので、蛍光撮影の感度を向上させることができる。しかし、イメージセンサーの光学特性が変わってしまうので、明視野撮影時に良好な画像データが得られないという問題があった。
【０００５】
蛍光撮影の際に露光時間を長くすれば、蛍光撮影の感度を向上させることができる。しかし、露光時間を長くすると、撮影対象物に対する励起光の照射時間が長くなることから、色素の褪色が進行し、適切な画像データが得られないという問題があった。また、蛍光撮影の際にイメージセンサーの利得を上げて感度を向上させる方法では、蛍光撮影時における画像データの信号対ノイズ比（Ｓ／Ｎ比）が低下するという問題があった。
【０００６】
本発明は、上記事情に鑑みてなされたものであり、蛍光撮影の感度を低下させることなく、撮像手段を共用して明視野撮影及び蛍光撮影が可能な顕微鏡装置を提供することを目的とする。特に、明視野撮影では、目視によるイメージと同様の色合い及びグラデーションで画像データを生成することができ、蛍光撮影では、近赤外線を含む７００ｎｍ付近の蛍光を発する色素が用いられた場合であっても、撮影対象物における蛍光箇所の位置及び形状を正確に再現した画像データを生成することができる顕微鏡装置を提供することを目的とする。
【０００７】
本発明の他の目的は、明視野撮影及び蛍光撮影の切り替えにおける操作性を向上させた顕微鏡装置を提供することにある。
【課題を解決するための手段】
【０００８】
本発明による顕微鏡装置は、撮像手段を共用して明視野撮影及び蛍光撮影が可能な顕微鏡装置であって、可視光を生成する明視野撮影用光源と、励起光を生成する蛍光撮影用光源と、撮影対象物からの光を電気信号に変換し、画像データを生成する撮像手段と、上記撮影対象物及び上記撮像手段間に挿抜自在に配置され、上記蛍光撮影用光源からの光の光学特性を調整する励起フィルター、及び、特定波長よりも短い波長の光を吸収する吸収フィルターを有するフィルターユニットと、上記明視野撮影用光源及び上記撮影対象物間に配置され、上記可視光よりも長い波長の光を吸収する赤外線カットフィルターとを備えて構成される。
【０００９】
具体的には、明視野撮影及び蛍光撮影について、上記撮影対象物及び上記撮像手段間に光の共通経路を有し、上記フィルターユニットが、蛍光撮影の際に上記共通経路上に配置され、明視野撮影の際には上記共通経路外に配置されるように構成される。
【００１０】
この顕微鏡装置では、撮影対象物及び撮像手段間にフィルターユニットが配置され、明視野撮影用光源及び撮影対象物間に赤外線カットフィルターが配置される。その際、フィルターユニットは挿抜自在に配置され、蛍光撮影時にのみフィルターユニットが光の共通経路上に配置される。この様な構成により、明視野撮影時には、赤外線カットフィルターによって可視光よりも長い波長の光を吸収させて画像データを生成することができる。また、蛍光撮影時には、可視光よりも長い波長の光が吸収されることなく、励起光を適切に吸収させて画像データを生成することができる。従って、明視野撮影では、目視によるイメージと同様の色合い及びグラデーションで画像データを生成することができ、蛍光撮影では、近赤外線を含む７００ｎｍ付近の蛍光を発する色素が用いられた場合であっても、撮影対象物における蛍光箇所の位置及び形状を正確に再現した画像データを生成することができる。
【００１１】
本発明による顕微鏡装置は、上記構成に加え、上記共通経路上に配置され、２つの撮影ポジションの切り替えが可能な可動ステージを備え、上記フィルターユニットが上記可動ステージにおける一方の撮影ポジションに配置され、蛍光撮影時には当該撮影ポジションが選択されるとともに、明視野撮影時には上記可動ステージにおける他方の撮影ポジションが選択されるように構成される。この様な構成によれば、可動ステージの撮影ポジションを切り替えることによって明視野撮影及び蛍光撮影を適切に行うことができるので、明視野撮影及び蛍光撮影の切り替えにおける操作性を向上させることができる。
【００１２】
また、本発明による顕微鏡装置は、撮像手段を共用して明視野撮影及び蛍光撮影が可能な顕微鏡装置であって、可視光を生成する明視野撮影用光源と、励起光を生成する蛍光撮影用光源と、撮影対象物からの光を電気信号に変換し、画像データを生成する撮像手段と、上記撮影対象物及び上記撮像手段間に配置され、２つの撮影ポジションの切り替えが可能な可動ステージと、上記可動ステージにおける一方の撮影ポジションに配置され、上記可視光よりも長い波長の光を吸収する赤外線カットフィルターと、上記可動ステージにおける他方の撮影ポジションに配置され、上記蛍光撮影用光源からの光の光学特性を調整する励起フィルター、及び、特定波長よりも短い波長の光を吸収する吸収フィルターを有するフィルターユニットとを備えて構成される。
【００１３】
また、本発明による顕微鏡装置は、上記構成に加え、上記明視野撮影用光源が、上記可視光として白色光を生成し、上記撮像手段が、カラーフィルターが設けられたイメージセンサーからなるように構成される。
【発明の効果】
【００１４】
本発明による顕微鏡装置によれば、明視野撮影時には赤外線カットフィルターによって可視光よりも長い波長の光を吸収させて画像データを生成することができ、また、蛍光撮影時には可視光よりも長い波長の光が吸収されることなく、励起光を適切に吸収させて画像データを生成することができる。従って、明視野撮影では、目視によるイメージと同様の色合い及びグラデーションで画像データが生成され、蛍光撮影では、近赤外線を含む７００ｎｍ付近の蛍光を発する色素が用いられた場合であっても、撮影対象物における蛍光箇所の位置及び形状を正確に再現した画像データが生成されるので、蛍光撮影の感度を低下させることなく、撮像手段を共用して明視野撮影及び蛍光撮影を行うことができる。
【００１５】
また、可動ステージの撮影ポジションを切り替えることによって明視野撮影及び蛍光撮影が適切に行われるので、明視野撮影及び蛍光撮影の切り替えにおける操作性を向上させることができる。
【発明を実施するための最良の形態】
【００１６】
実施の形態１．
図１及び図２は、本発明の実施の形態１による顕微鏡装置内の一構成例を示した図であり、撮像手段としてのイメージセンサー８を共用して明視野撮影及び蛍光撮影を可能とする構成が示されている。図１には、可視光による明視野撮影時の様子が示され、図２には、励起光による蛍光撮影時の様子が示されている。本実施の形態による顕微鏡装置１は、明視野撮影に関しては透過光を撮影する透過型の顕微鏡であり、蛍光撮像に関しては蛍光を撮影するために、反射型と同様の構成の顕微鏡となっている。
【００１７】
以下、撮影対象物に対して垂直に照射された光を当該撮影対象物よりも下方で検出する倒立型の顕微鏡装置について説明するが、撮影対象物よりも上方で照射光を検出する正立型の顕微鏡装置であっても良い。撮影対象物としては、明視野撮影のための染色や、蛍光撮影のための色素導入などが施されたワーク（検査対象物）からなる。
【００１８】
この顕微鏡装置１は、明視野撮影用光源２、熱線カットフィルター３、赤外線カットフィルター４、集光レンズ５、対物レンズ６、結像レンズ７、イメージセンサー８、蛍光撮影用光源１１、熱線カットフィルター１２、集光レンズ１３、フィルターユニット１４及び筐体１０からなる。
【００１９】
筐体１０は、顕微鏡装置１を構成する光学系を収容するキャビネットであり、内側に暗室Ａを形成することができる。明視野撮影用光源２は、可視光を生成する灯火装置であり、明視野撮影の際、撮影対象物に照射する光の生成を行っている。具体的には、ハロゲンランプなどの連続スペクトルを有する白色光源が明視野撮影用光源２として用いられる。
【００２０】
蛍光撮影用光源１１は、励起光を生成する灯火装置であり、蛍光撮影の際、撮影対象物に照射する光の生成を行っている。具体的には、特定の波長領域に輝線スペクトルを有する水銀ランプや、キセノンランプなどの高輝度光源が蛍光撮影用光源１１として用いられる。
【００２１】
イメージセンサー８は、撮影対象物からの光を電気信号に変換し、画像データを生成する撮像手段であり、カラーフィルター８ａと、ＣＣＤ（Charge Coupled Device：電荷結合素子）などの撮像素子８ｂからなる。
【００２２】
ここでは、明視野撮影用光源２によって生成された可視光を撮影対象物に伝搬する伝搬経路を伝搬路Ｂ１とし、蛍光撮影用光源１１によって生成された励起光を撮影対象物に伝搬する伝搬経路を伝搬路Ｂ３とする。また、伝搬路Ｂ１を伝搬して撮影対象物を透過した光をイメージセンサー８に伝搬するとともに、伝搬路Ｂ３を伝搬して撮影対象物で反射した光をイメージセンサー８に伝搬する伝搬経路を共通伝搬路Ｂ２と呼ぶことにする。
【００２３】
伝搬路Ｂ１上には、熱線カットフィルター３、赤外線カットフィルター４及び集光レンズ５が配置されている。熱線カットフィルター３は、可視光よりも波長が長い赤外線のうち長波長側を遠赤外線（熱線）として、この熱線を吸収するろ過手段である。ハロゲンランプを明視野撮影用光源２として用いる場合、可視光以外に熱線も大量に放射される。この熱線を熱線カットフィルター３によって吸収させることにより、集光レンズ５や撮影対象物、筐体１０などが加熱されるのを抑制させている。
【００２４】
赤外線カットフィルター４は、可視光よりも波長が長い光を吸収するろ過手段であり、熱線カットフィルター３の後段に配置される。この赤外線カットフィルター４は、赤外線のうち短波長側を近赤外線として、この近赤外線以上の波長の光を減衰させるとともに、可視光以下の波長の光を透過させる。好ましくは、可視光における波長の上限よりも波長が長い光を全て吸収するとともに、可視光自体は減衰することなく透過させるフィルターが赤外線カットフィルター４として用いられる。ハロゲンランプなどの白色光源を明視野撮影用光源２として用いる場合、可視光以外に近赤外線も放射される。この近赤外線を赤外線カットフィルター４によって完全に吸収させることにより、明視野撮影の際にイメージセンサー８が生成する画像データの光学特性を目の感度に合わせることができる。
【００２５】
集光レンズ５は、明視野撮影用光源２からの光を集光する光学レンズであり、赤外線カットフィルター４の後段に配置される。この集光レンズ５によって、撮影対象物に照射する光が均一化され、輝度ムラを抑制させている。
【００２６】
伝搬路Ｂ３上には、熱線カットフィルター１２、集光レンズ１３、フィルターユニット１４及び対物レンズ６が配置されている。熱線カットフィルター１２は、熱線を吸収するろ過手段であり、蛍光撮影用光源１１によって放射された光に含まれる熱線を吸収させている。集光レンズ１３は、蛍光撮影用光源１１からの光を集光する光学レンズであり、熱線カットフィルター１２の後段に配置される。
【００２７】
フィルターユニット１４は、蛍光撮影用光源１１からの励起光を撮影対象物へ向けて反射し、撮影対象物が励起光の照射によって発した蛍光を透過するとともに、撮影対象物によって反射された励起光を吸収する動作を行っている。このフィルターユニット１４は、集光レンズ１３の後段であって、共通伝搬路Ｂ２上に挿抜自在に配置される。つまり、フィルターユニット１４は、蛍光撮影の際に共通伝搬路Ｂ２上における撮影対象物よりも後段に配置され、明視野撮影の際には共通伝搬路Ｂ２上から外される。
【００２８】
ここでは、フィルターユニット１４が、励起フィルター２１、ダイクロイックミラー２２及び吸収フィルター２３からなり、複数の撮影ポジションの切り替えが可能な可動ステージ上に配置されるものとする。
【００２９】
励起フィルター２１は、蛍光撮影用光源１１からの光の光学特性を調整するためのろ過手段であり、撮影対象物を励起させる特定波長よりも短い波長の光を透過するとともに、その特定波長よりも長い波長の光を吸収又は反射させる。
【００３０】
ダイクロイックミラー（dichroic mirror）２２は、特定波長よりも短い波長の光を反射するとともに、その特定波長よりも長い波長の光を透過する波長選択性を有するハーフミラー（半透鏡）であり、励起フィルター２１の後段に配置される。つまり、このダイクロイックミラー２２により、撮影対象物による反射光のうち、励起光の照射によって撮影対象物が発した蛍光だけが透過され、蛍光撮影の際のバックグラウンドとなる励起光は除去される。
【００３１】
吸収フィルター２３は、特定波長よりも短い波長の光を吸収するろ過手段であり、ダイクロイックミラー２２の後段に配置される。この吸収フィルター２３によって撮影対象物による反射光に含まれる励起光が除去される。
【００３２】
伝搬路Ｂ２上には、フィルターユニット１４の他に、対物レンズ６及び結像レンズ７が配置されている。対物レンズ６は、撮影対象物を拡大観察するため光学レンズであり、撮影対象物及びフィルターユニット１４間に配置される。結像レンズ７は、フィルターユニット１４の後段に配置され、対物レンズ６と合わせて撮影対象物のイメージをイメージセンサー８の開口面上に結像させる。
【００３３】
明視野撮影時には、明視野撮影用光源２によって生成された光が熱線カットフィルター３、赤外線カットフィルター４、集光レンズ５をこの順序で透過し、撮影対象物に入射する。このとき入射した光は、撮影対象物を透過し、対物レンズ６、結像レンズ７をこの順序で通過してイメージセンサー８に入射する。
【００３４】
蛍光撮影時には、蛍光撮影用光源１１によって生成された光が熱線カットフィルター１２、集光レンズ１３、励起フィルター２１、ダイクロイックミラー２２、対物レンズ６をこの順序で通過し、撮影対象物に入射する。このとき入射した光は、撮影対象物によって反射され、対物レンズ６、ダイクロイックミラー２２、吸収フィルター２３、結像レンズ７をこの順序で通過してイメージセンサー８に入射する。
【００３５】
図３は、図２の顕微鏡装置の要部における構成例を示した斜視図であり、複数の撮影ポジションの切り替えが可能な可動ステージ３１の様子が示されている。この可動ステージ３１は、円板状の回転台であり、この回転台の４つの撮影ポジションに貫通孔３２、フィルターユニット１４ｒ、１４ｇ及び１４ｂがそれぞれ配置される。
【００３６】
貫通孔３２は、明視野撮影時に光を貫通させる円形状の開口である。各フィルターユニット１４ｒ〜１４ｂは、特定の色の光を透過させるフィルターユニットであり、Ｒ（赤）、Ｇ（緑）、Ｂ（青）の光をそれぞれ透過させる。貫通孔３２、フィルターユニット１４ｒ及び１４ｂは、可動ステージ３１における回転面の周辺部に配置され、ローラー３３の回転による可動ステージ３１の回転により、光の伝搬経路上に移動されて４つの撮影ポジションのいずれか１つが選択される。
【００３７】
つまり、明視野撮影時には、貫通孔３２が選択され、蛍光撮影時には、フィルターユニット１４ｒ〜１４ｂのいずれか１つが選択される。
【００３８】
図４（ａ）及び（ｂ）は、図２の顕微鏡装置による蛍光撮影時の光学特性の一例を示した図であり、図４（ａ）には、撮影対象物に入射する励起光の様子が示され、図４（ｂ）には、撮影対象物によって反射された励起光及び蛍光の様子が示されている。撮影対象物に入射される励起光は、可視光の波長領域（一般的に、４００〜７００ｎｍ）内に強いピーク（波長＝ａ１）を有する。
【００３９】
この様な励起光の照射によって撮影対象物は、励起光よりも長い波長の光（蛍光）を発生させる。この例では、近赤外線の一部を含んで、７００ｎｍ付近にピークを有する蛍光が生じている。なお、蛍光の強度は、励起光の強度の１万分の１程度である。撮影対象物による反射光には、蛍光の他に、励起光も含まれる。反射光に含まれる励起光は、画像データ生成時にバックグラウンドとなるので、吸収フィルターによって除去される。
【００４０】
図５（ａ）及び（ｂ）は、図２の顕微鏡装置による蛍光撮影時における吸収フィルター通過後の光学特性の一例を赤外線カットフィルターが設けられている場合と比較して示した図である。図５（ａ）には、本実施の形態による顕微鏡装置において、吸収フィルター通過後の光学特性の様子が示され、図５（ｂ）には、赤外線カットフィルターによって可視光よりも長い波長の光が吸収された場合の様子が示されている。フィルターユニット内に配置された吸収フィルターにより、バックグラウンドとなる励起光が除去される。この例では、撮影対象物による反射光のうち、波長＝ａ２よりも短い波長の光が吸収除去されている。
【００４１】
これに対し、赤外線カットフィルターが存在すると、近赤外線以上の波長の光が除去されるので、蛍光の強度が著しく低下する。
【００４２】
本実施の形態によれば、明視野撮影時には、赤外線カットフィルター４によって可視光よりも長い波長の光を吸収させて画像データを生成することができ、また、蛍光撮影時には、可視光よりも長い波長の光が吸収されることなく、励起光を適切に吸収させて画像データを生成することができる。従って、明視野撮影では、目視によるイメージと同様の色合い及びグラデーションで画像データを生成することができ、蛍光撮影では、近赤外線を含む７００ｎｍ付近の蛍光を発する色素が用いられた場合であっても、撮影対象物における蛍光箇所の位置及び形状を正確に再現した画像データを生成することができる。
【００４３】
なお、本実施の形態では、赤外線カットフィルター４が熱線カットフィルター３及び集光レンズ５間に配置される場合の例について説明したが、本発明はこれに限られるものではない。例えば、集光レンズ５及び撮影対象物間に赤外線カットフィルター４を配置しても良い。また、本実施の形態では、吸収フィルターが励起フィルターと共にフィルターユニットとして共通伝搬路上に配置される場合について説明したが、吸収フィルターのみを共通伝搬路上に配置するようなものであっても良い。
【００４４】
また、本実施の形態では、明視野撮影に関して透過型であり、蛍光撮影に関して反射型の顕微鏡装置の例について説明したが、本発明はこれに限られるものではない。明視野撮影に関して透過型であって蛍光撮影に関しても透過型の顕微鏡装置や、明視野撮影に関して反射型であって蛍光撮影に関して透過型の顕微鏡装置、明視野撮影に関して反射型であって蛍光撮影に関しても反射型の顕微鏡装置にも、本発明は適用することができる。
【００４５】
実施の形態２．
実施の形態１では、赤外線カットフィルター４が伝搬路Ｂ１上に配置される場合の例について説明した。これに対し、本実施の形態では、赤外線カットフィルター４を可動ステージ４１における一撮影ポジションに配置する場合について説明する。
【００４６】
図６は、本発明の実施の形態２による顕微鏡装置内の構成例を示した図である。本実施の形態による顕微鏡装置４０は、図１及び図２の顕微鏡装置１と比較すれば、赤外線カットフィルター４が可動ステージ４１に配置されている点で異なる。この可動ステージ４１には、複数の撮影ポジションのうちの１つに赤外線カットフィルター４が配置され、他の撮影ポジションにフィルターユニット１４が配置される。
【００４７】
図７は、図６の顕微鏡装置の要部における構成例を示した斜視図であり、可動ステージ４１の様子が示されている。この可動ステージ４１は、４つの撮影ポジションの切り替えが可能な回転台からなり、赤外線カットフィルター４、フィルターユニット１４ｒ、１４ｇ及び１４ｂが各撮影ポジションに配置される。
【００４８】
ローラー４３の回転による可動ステージ４１の回転により、光の伝搬経路上に移動され、４つの撮影ポジションのいずれか１つが選択される。
【００４９】
本実施の形態によれば、可動ステージ４１の撮影ポジションを切り替えることによって明視野撮影及び蛍光撮影を適切に行うことができるので、明視野撮影及び蛍光撮影の切り替えにおける操作性を向上させることができる。
【図面の簡単な説明】
【００５０】
【図１】本発明の実施の形態１による顕微鏡装置内の一構成例を示した図であり、可視光による明視野撮影時の様子が示されている。
【図２】本発明の実施の形態１による顕微鏡装置内の一構成例を示した図であり、励起光による蛍光撮影時の様子が示されている。
【図３】図２の顕微鏡装置の要部における構成例を示した斜視図であり、複数の撮影ポジションの切り替えが可能な可動ステージ３１の様子が示されている。
【図４】図２の顕微鏡装置による蛍光撮影時の光学特性の一例を示した図である。
【図５】図２の顕微鏡装置による蛍光撮影時における吸収フィルター通過後の光学特性の一例を赤外線カットフィルターが設けられている場合と比較して示した図である。
【図６】本発明の実施の形態２による顕微鏡装置内の構成例を示した図である。
【図７】図６の顕微鏡装置の要部における構成例を示した斜視図であり、可動ステージ４１の様子が示されている。
【符号の説明】
【００５１】
１  顕微鏡装置
２  明視野撮影用光源
３  熱線カットフィルター
４  赤外線カットフィルター
５  集光レンズ
６  対物レンズ
７  結像レンズ
８  イメージセンサー
８ａ  カラーフィルター
８ｂ  撮像素子
１０  筐体
１１  蛍光撮影用光源
１２  熱線カットフィルター
１３  集光レンズ
１４，１４ｒ，１４ｇ，１４ｂ  フィルターユニット
２１  励起フィルター
２２  ダイクロイックミラー
２３  吸収フィルター
３１，４１  可動ステージ
４０  顕微鏡装置
【図１】
2006309006.tif 000003
【図２】
2006309006.tif 000004
【図３】
2006309006.tif 000005
【図４】
2006309006.tif 000006
【図５】
2006309006.tif 000007
【図６】
2006309006.tif 000008
【図７】
2006309006.tif 000009